(57)【要約】      （修正有）【課題】便器に対して洗浄効果、除菌効果を長期間に渡って発揮し、トイレタンク内の給水や排水に不具合が生じないトイレ用アルカリイオン水生成容器を提供する。【解決手段】収納部１ａ及び蓋部１ｂから成る本体部１ｃは偏平状の直方体をしており、収納部１ａの頂面部１ｅに複数の溝状のスリット部１ｆが平行に設けられている。蓋部１ｂは収納部１ａに対して取り付け取り外しが可能であり、本体部１ｃの内部に空間を有している。この空間には焼成カルシウム粉Ｃａを充填した不織布等から成る袋体Ｆが収容されている。トイレタンク内に水が給水されたときに、完全に袋体Ｆが浸水する位置に収納部１ａを配置し、トイレタンク内に給水される水をアルカリイオン水に改質する。このアルカリイオン水の界面活性効果により、便器内の汚れを落とすことが可能となる。【選択図】図２
0003202029.tif 000002
【実用新案登録請求の範囲】
【請求項１】
収納部及び蓋部とから成る本体部を備え、トイレタンク内の水をアルカリイオン水に改質する粉粒体を前記本体部内に収容したアルカリイオン水生成容器であって、
前記収納部に複数の水出入孔を設けたことを特徴とするトイレタンク用アルカリイオン水生成容器。
【請求項２】
前記粉粒体は焼成カルシウム粉又はマグネシウム粒から成ることを特徴とする請求項１に記載のトイレタンク用アルカリイオン水生成容器。
【請求項３】
前記焼成カルシウム粉は袋体に充填したことを特徴とする請求項２に記載のトイレタンク用アルカリイオン水生成容器。
【請求項４】
前記収納部に固定した吊下部を備え、吊下部の先端をトイレタンクの開口縁部に引掛けて係止したことを特徴とする請求項１〜３の何れか１項に記載のトイレタンク用アルカリイオン水生成容器。
【請求項５】
前記吊下部は、帯板状のアーム部と、該アーム部と接続し、コの字状になるように屈曲させた引掛部とから構成し、前記アーム部の根元部を前記蓋部の裏面に固定したことを特徴とする請求項４に記載のトイレタンク用アルカリイオン水生成容器。
【請求項６】
前記蓋部には浮部を設けたことを特徴とする請求項１〜３の何れか１項に記載のトイレタンク用アルカリイオン水生成容器。
【請求項７】
前記収納部及び前記蓋部は共に椀形状であり、それぞれの開口部同士を重ね合わせた状態でねじにより固定したことを特徴とする請求項６に記載のトイレタンク用アルカリイオン水生成容器。
【考案の詳細な説明】
【技術分野】
【０００１】
本考案は、トイレのトイレタンク内に設置し、トイレタンク内の水をアルカリイオン水に改質する粉粒体を収納したトイレタンク用アルカリイオン水生成容器に関するものである。
【背景技術】
【０００２】
特許文献１には、紐材を介してフックと連結し、薬剤を内蔵したトイレタンク用の薬剤容器が開示されている。この薬剤容器のフックを水洗トイレタンクに引掛けることで、薬剤容器は水洗便器用トイレタンク内に保持され、トイレタンク内で水没した薬剤容器は、貫通孔を介して薬剤成分が徐々にトイレタンク内の水に溶解することになる。
【０００３】
薬剤容器の薬剤は、界面活性成分、洗浄成分、殺菌成分を含む化学薬品であり、トイレのレバーを操作することで、トイレタンク内の薬剤成分が溶解した水が便器内に流れ込み、便器に付着した汚れを洗浄し、カビ類の繁殖を防止している。
【先行技術文献】
【特許文献】
【０００４】
【特許文献１】特開２００７−１１３１８７号公報
【考案の概要】
【考案が解決しようとする課題】
【０００５】
しかしながら、従来の化学品から成る薬剤は、成分が所定の濃度で溶出することにより、洗浄効果・殺菌効果を発揮することから、水に溶解し易くしてある。このような薬剤は水に溶解し易いことから寿命が短く、１〜２ヶ月毎に薬剤容器の交換や新たな薬剤を補充する必要がある。この際に、トイレタンクの蓋部を取り外して入れ換え作業を行うため、手間がかかるという問題がある。
【０００６】
また、洗浄効果・殺菌効果を向上させるために、種々の成分の薬剤を含有することから、薬剤特有の臭いが発生するという問題がある。特に、頻繁に水を流さない場合には、必要以上にトイレタンク内に溶出する薬剤の濃度が濃くなり、薬剤特有の臭いが一層発生することがある。
【０００７】
また、特許文献１の薬剤容器のように、紐を介して薬剤容器をトイレタンク内の水中に吊り下げた場合には、薬剤が溶解することで薬剤容器は軽くなり、トイレタンク内を移動し易くなる。
【０００８】
このため、トイレタンク内の給水の流れによっては、紐がトイレタンク内の浮玉やレバー操作と連動する鎖等に巻き付いてしまうことがあり、トイレタンク内の給水や排水に不具合が発生するという問題もある。
【０００９】
本考案の目的は、上述の課題を解消し、薬剤特有の臭いの発生がなく、便器に対して洗浄効果、除菌効果を長期間に渡って発揮することが可能であり、更にトイレタンク内の給水や排水に不具合が生じないトイレタンク用アルカリイオン水生成容器を提供することにある。
【課題を解決するための手段】
【００１０】
上記目的を達成するための本考案に係るトイレタンク用アルカリイオン水生成容器は、収納部及び蓋部とから成る本体部を備え、トイレタンク内の水をアルカリイオン水に改質する粉粒体を前記本体部内に収容したアルカリイオン水生成容器であって、前記収納部に複数のスリットを設けたことを特徴とする。
【考案の効果】
【００１１】
本考案に係るトイレタンク用アルカリイオン水生成容器によれば、薬剤を使用しないため薬剤特有の臭いが発生することがなく、また便器に対して洗浄効果、除菌効果を長期間に渡って発揮するので交換を頻繁に行う必要がない。更に、トイレタンク内の給水や排水に不具合が発生することもない。
【図面の簡単な説明】
【００１２】
【図１】実施例１の引掛けタイプの生成容器の斜視図である。
【図２】引掛けタイプの生成容器の縦断面図である。
【図３】引掛けタイプの生成容器をトイレタンク内に配置した説明図である。
【図４】実施例２の浮遊タイプの生成容器の斜視図である。
【図５】浮遊タイプの生成容器の縦断面図である。
【図６】浮遊タイプの生成容器をトイレタンク内に配置した説明図である。
【考案を実施するための形態】
【００１３】
本考案を図示の実施例により詳細に説明する。
【実施例１】
【００１４】
図１は実施例１のアルカリイオン水生成容器の斜視図、図２は縦断面図である。アルカリイオン水生成容器１はトイレタンクＴの開口縁部に取り付ける引掛けタイプとされ、合成樹脂等の材料により製造され、収納部１ａ及び蓋部１ｂから成る本体部１ｃと、吊下部１ｄとから構成されている。
【００１５】
本体部１ｃは比較的偏平な直方体とされ、収納部１ａの頂面部１ｅに複数の溝状のスリット部１ｆが平行に設けられている。なお本実施例１では、本体部１ｃは偏平状な直方体としたが、他の適宜な形状を採用することが可能である。
【００１６】
収納部１ａの頂面部１ｅの大きさは、例えば７ｃｍ×７ｃｍ程度であり、本体部１ｃの厚みは２．５ｃｍ程度である。また、水出入孔であるスリット部１ｆのスリット幅は、２ｍｍ程度である。
【００１７】
吊下部１ｄは、帯板状のアーム部１ｇと、このアーム部１ｇの上端と接続し、平板材を側面断面が「コ」の字状になるように屈曲させた引掛部１ｈとから構成されている。そして、アーム部１ｇの根元は、取付部１ｉを介して蓋部１ｂの裏面に固定されている。
【００１８】
アーム部１ｇの長さは、一部の図示を省略しているが３０ｃｍ程度であり、トイレタンクＴの形状に応じて適宜の長さにすることができる。また、アーム部１ｇは硬質な材料以外にも可撓性を有する材料としてもよい。
【００１９】
蓋部１ｂは収納部１ａに対して取り付け取り外しが可能であり、本体部１ｃの内部に空間を有している。この空間には焼成カルシウム粉Ｃａを充填した不織布等から成る袋体Ｆが収容されており、この袋体Ｆから充填した焼成カルシウム粉Ｃａが直接抜け出ることはない。
【００２０】
焼成カルシウム粉Ｃａは、ホタテの貝殻や卵の殻を１０００度以上の高温で焼成することによって得られる粉状の酸化カルシウムのことであり、０．２％程度水に溶解する。
【００２１】
また、袋体Ｆは一部を開口することが可能な密閉袋であり、焼成カルシウム粉Ｃａを適宜に補充することができる。或いは、袋体Ｆを開口することのできない完全な密閉袋とし、焼成カルシウム粉Ｃａが水Ｗに溶解した後は、袋体Ｆごと使い捨てるようにしてもよい。
【００２２】
この生成容器１を使用する際には、先ず図３に示すように吊下部１ｄの先端である引掛部１ｈをトイレタンクＴの開口縁部Ｔ１に引掛けてトイレタンクＴの内側に係止する。このように係止することで、吊下部１ｄの下端に固定した本体部１ｃは、トイレタンクＴの下方の水Ｗ中にあって、トイレタンクＴの底に接しない位置で保持される。
【００２３】
このとき、本体部１ｃの蓋部１ｂの背面は、トイレタンクＴの内壁に接した状態で保持されることになり、トイレタンクＴ内に水Ｗが給水されたときに、完全に水没する位置に本体部１ｃが固定できる。
【００２４】
生成容器１の設置が完了すると、本体部１ｃは常に水Ｗに浸漬する状態となる。本体部１ｃが水Ｗに浸漬すると、スリット部１ｆを通して水Ｗが本体部１ｃ内及び袋体Ｆ内に流れ込む。そして、焼成カルシウム粉Ｃａが水Ｗに浸漬することにより、次式のように酸化カルシウムが水Ｗと反応し水酸化カルシウムに変化する。
ＣａＯ＋Ｈ２０  →  Ｃａ（ＯＨ）２
【００２５】
更に、水溶した水酸化カルシウムは、次式のような電離してトイレタンク内の水Ｗをアルカリイオン水に改質する。
Ｃａ（ＯＨ）２  →  Ｃａ２＋  ＋  ２ＯＨ−
【００２６】
従って、レバー部Ｔ２の操作毎に水Ｗは排水され、再びトイレタンクＴ内に給水される水Ｗはアルカリイオン水に改質されることになる。このアルカリイオン水は油脂分を分解して石鹸化することが知られているので、この作用により洗剤を流す場合と同等な界面活性効果により、便器内の汚れを落とすことが可能となる。
【００２７】
また、アルカリイオン水は水Ｗの分子であるクラスタを細分化させるため、浸透性が高くなり、便器に付着した汚れとの間隙に浸透し易く、汚れを膨潤させて浮き上がらせる効果も有している。
【００２８】
更には、アルカリイオン水に含まれるマイナスイオンによる殺菌作用で、便器内の雑菌の繁殖を抑える効果もあり、このため便器の黒ずみ等の発生を防止できる。
【００２９】
実施例１の生成容器１は、レバー部Ｔ２の操作毎のトイレタンクＴ内の給水、排水の影響を受けることがなく、常に同じ位置で保持されることなる。従って、トイレタンクＴ内の浮玉Ｔ３やレバー部Ｔ２の操作と連動する鎖Ｔ４等に、吊下部１ｄが絡まる等の不具合もない。
【実施例２】
【００３０】
図４は実施例２における浮遊タイプのアルカリイオン水生成容器２の斜視図であり、図５はその縦断面図である。生成容器２は収納部２ａ及び蓋部２ｂとから成る本体部２ｃを備え、この本体部２ｃは合成樹脂材料等により製造されている。
【００３１】
収納部２ａ及び蓋部２ｂは共に椀形状であり、それぞれの開口部同士を重ね合わせた状態で、ねじにより固定されている。生成容器２は直径７ｃｍ程度の偏平状の円柱状体であり、高さは５ｃｍ程度である。
【００３２】
収納部２ａは頂面部２ｄを起点として、縦状に複数のスリット部２ｅが放射状に形成されており、頂面部２ｄの中心には、内側に向けて有底の筒部２ｆが設けられている。そして、底部は閉塞され小孔２ｇが設けられている。
【００３３】
蓋部２ｂには内壁面中央に円筒部２ｈが下向きに立設されており、この円筒部２ｈの先端内壁にはねじ溝２ｉが設けられている。そして、蓋部２ｂ内には円筒部２ｈを取り囲むように、発泡スチロール等から成る浮部２ｊが取り付けられている。
【００３４】
収納部２ａ及び蓋部２ｂを固定する際には、それぞれの開口部同士を重ね合わせた後に、筒部２ｆ内の小孔２ｇにねじ２ｈを挿入し、更に小孔２ｇを介して円筒部２ｈ内のねじ溝２ｉにドライバ等でねじ込む。ねじ２ｈを完全にねじ込むことで、収納部２ａ及び蓋部２ｂは一体化され、トイレタンクＴ内での衝撃等により収納部２ａから蓋部２ｂが外れることはない。
【００３５】
また、本体部２ｃの内部には、実施例１の生成容器１と同様に、焼成カルシウム粉Ｃａを充填した不織布等から成る袋体Ｆが収容されている。この袋体Ｆは細長く、筒部２ｆ中心にリング状に配置することになる。
【００３６】
生成容器２を使用する際には、図６に示すように、トイレタンクＴ内の任意の位置に収納部２ａを下方に向けた状態で配置する。生成容器２は蓋部２ｂ内の浮部２ｊの浮力によって収納部２ａを水中に浸漬した状態で、常にトイレタンクＴ内の水面に浮くことになる。
【００３７】
水中に浸漬した収納部２ａのスリット部２ｅを介して、トイレタンクＴ内の水Ｗが本体部２ｃ内に入り込むため、実施例１の生成容器１と同様に焼成カルシウム粉Ｃａと水Ｗとが反応して、水酸化カルシウムが生成される。
【００３８】
そして、トイレタンクＴ内の水Ｗは水酸化カルシウムが水溶したアルカリイオン水に改質される。このアルカリイオン水の効果は実施例１と同様である。
【００３９】
レバー部Ｔ２の操作毎に、トイレタンクＴ内の水Ｗは排水され、続いて給水されるので、生成容器２は水面の上下動に合わせて移動する。また、本体部２ｃ内の焼成カルシウム粉Ｃａの重さにより、収納部２ａは頂面部２ｄが下方に必ず向くようになり、生成容器２が裏返ることはない。更に、生成容器２は紐等により固定されていないため、トイレタンクＴ内の浮玉Ｔ３やレバー部Ｔ２の操作と連動する鎖Ｔ４等に絡まることもない。
【００４０】
また、実施例１、２の焼成カルシウム粉Ｃａに代えて、径が３〜５ｍｍ程度のマグネシウム粒Ｍｇを使用することもできる。これらの多数のマグネシウム粒Ｍｇを本体部１ｃ、２ｃに収容した場合は、スリット部１ｆ、２ｅの幅はマグネシウム粒Ｍｇの径よりも小さいので、マグネシウム粒Ｍｇがスリット部１ｆ、２ｅから飛び出すことはない。
【００４１】
従って、マグネシウム粒Ｍｇの場合は、袋体Ｆを使用しなくとも済む。また、焼成カルシウム粉Ｃａを粒状にすることでも袋体Ｆは不要となる。
【００４２】
マグネシウム粒Ｍｇがトイレタンク内の水Ｗに浸漬することにより、次式のような反応が起こる。
Ｍｇ＋２Ｈ２Ｏ→Ｍｇ（ＯＨ）２＋Ｈ２↑
【００４３】
マグネシウムと水Ｗとが反応し、水酸化マグネシウムと水素が生成され、トイレタンクＴ内に給水される水Ｗのアルカリイオン水に改質されることになる。このアルカリイオン水による洗浄効果、除菌効果は焼成カルシウム粉Ｃａの場合と同等である。
【００４４】
このように、実施例１、２の本体部１ｃ、２ｃ内の焼成カルシウム粉Ｃａ又はマグネシウム粒Ｍｇによる水Ｗをアルカリイオン水に改質する粉粒体の溶解速度は、従来技術の薬剤と比べて非常に遅いため、溶解するまでに数ヶ月〜数年を要する。従って、長期に渡って上述のアルカリイオン水による洗浄効果、除菌効果を便器に対して発揮することになるので、その期間は生成容器１、２内の焼成カルシウム粉Ｃａを充填した袋体Ｆやマグネシウム粒Ｍｇの交換や、焼成カルシウム粉Ｃａやマグネシウム粒Ｍｇの補充も不要である。
【００４５】
また、トイレタンクＴの上方の手洗い部Ｔ５に交換式の洗剤を充填した洗浄具を配置することも可能である。手洗い部Ｔ５から流出され、トイレタンクＴ内に溜まった洗浄水に、焼成カルシウム粉Ｃａ又はマグネシウム粒Ｍｇが溶け出し、アルカリイオン化する。このように、洗浄水に対してアルカリイオン化させることで、より効果的に便器の洗浄、除菌等を行うことも可能である。
【符号の説明】
【００４６】
１、２  アルカリイオン水生成容器
１ａ、２ａ  収納部
１ｂ、２ｂ  蓋部
１ｃ、２ｃ  本体部
１ｄ  吊下部
１ｆ、２ｅ  スリット部
１ｇ  アーム部
１ｈ  引掛部
２ｊ  浮部
Ｃａ  焼成カルシウム粉
Ｆ  袋体
Ｔ  トイレタンク
Ｔ１  開口縁部
【図１】
0003202029.tif 000003
【図２】
0003202029.tif 000004
【図３】
0003202029.tif 000005
【図４】
0003202029.tif 000006
【図５】
0003202029.tif 000007
【図６】
0003202029.tif 000008